(57)【要約】【課題】分離型空気調和機の室内ユニットにおいて、天井から室内ユニットの据付位置までの距離が短い場合でも、据付板と室内ユニットとの間に安全な作業空間を確保できる据付装置を提供する。【解決手段】室内壁面へ固定された取付具に、分離型空気調和機の室内ユニットを掛止めする空気調和機の据付装置において、室内壁面へ固定された取付具及び／又は室内ユニットに、室内ユニット上部の跳ね上げ高さ寸法を調整する調整機構を設ける。【選択図】図４
2011089678.tif 000002
【特許請求の範囲】
【請求項１】
空気調和機を壁面に固定された据付板に取り付ける据付装置において、空気調和装置を前記据付板に取り付ける際に、この空気調和装置の跳ね上げ高さを変える調整機構を前記据付板および／又は空気調和装置に設けることを特徴とする空気調和機の据付装置。
【請求項２】
前記調整機構は、空気調和機の裏側に前後方向に回動自在に設けられたＬ字状の支持部材であり、この支持部材をこの支持部材と据付板のなす角度を変えて前記据付板に取り付ける複数の取付孔を前記据付板に設けることを特徴とする請求項１記載の空気調和機の据付装置。
【請求項３】
前記支持部材は、空気調和装置の跳ね上げ高さを高くする場合はＬ字の短い方の辺の平面部が、跳ね上げ高さを低くする場合はＬ字の折り曲げ部が、それぞれ前記取付孔に嵌まることを特徴とする請求項２記載の空気調和機の据付装置。
【請求項４】
前記Ｌ字状の支持部材は、空気調和装置の裏側に配置される冷媒配管を固定する固定部材を兼ねることを特徴とする請求項３記載の空気調和機の据付装置。
【請求項５】
前記据付板は、空気調和装置の前記壁面での据付位置や空気調和装置から前記壁面を介して屋外へ延出する冷媒配管の貫通位置を定める機能を有することを特徴とする請求項４記載の空気調和機の据付装置。
【請求項６】
前記取付孔は屋外へ延出する冷媒配管の位置を定めるために前記据付板に設けられたノックアウトホール部を成すスリットであることを特徴とする請求項５記載の空気調和機の据付装置。
【請求項７】
前記調整機構とは、空気調和装置の裏側に設けられ伸縮自在に構成された支持部材であって、一端が前記据付板に構成された取付孔にはめられ、この支持部材の長さを調整することで、空気調和装置の跳ね上げ高さが変えられることを特徴とする請求項１記載の空気調和機の据付装置。
【請求項８】
前記支持部材は、第１支持具と、この第１支持具にスライドして係合される第２支持具とから構成されることを特徴とする請求項７記載の空気調和装置の据付装置
【発明の詳細な説明】
【技術分野】
【０００１】
本発明は、分離型空気調和装機の室内ユニットの据付装置に関する。
【背景技術】
【０００２】
分離型空気調和機の室内ユニットを室内壁面に据付ける場合、壁面に据付板を取り付け、この据付板に示された表示で室内ユニットの据付位置や室内ユニットから室外への冷媒配管並びにドレン配管取り出し位置を決めていた。
【０００３】
そして、据付板に室内ユニットの上部を掛止めした後、据付板と室内ユニットとの間に支持部材を挟んで室内ユニットの上部を跳ね上げ、この室内ユニットの下部に作業空間を確保し、室外ユニットからの冷媒配管とこの室内ユニットからの冷媒配管とをつなぐ配管作業を行うようにしている。
【特許文献１】特開平６−２４１４９３公報
【発明の開示】
【発明が解決しようとする課題】
【０００４】
しかし、室内ユニットの据付位置が室内の天井に近い場合は、前記支持部材を挟むと室内ユニットの上部が天井に接触してしまい、跳ね上げた状態で室内ユニットを固定できないことがあった。このような場合、据付板と室内ユニットとの間に別のもの（例えば不要な梱包材など）をはさんで作業空間を確保し配管作業を行っていたのだが、作業中に梱包材がずれ、この作業に支障をきたすことが考えられた。
【０００５】
そこで、本発明では、天井から室内ユニットの据付位置までの距離が短い場合でも、据付板と室内ユニットとの間に安全な作業空間を確保することを目的とする。
【課題を解決するための手段】
【０００６】
上記目的を達成するために、請求項１の発明の空気調和機の据付装置は、空気調和機を壁面に固定された据付板に取り付ける据付装置において、空気調和装置を前記据付板に取り付ける際に、この空気調和装置の跳ね上げ高さを変える調整機構を前記据付板および／又は空気調和装置に設けることを特徴とする。
【０００７】
また、請求項２の発明は、前記調整機構は、空気調和機の裏側に前後方向に回動自在に設けられたＬ字状の支持部材であり、この支持部材をこの支持部材と据付板のなす角度を変えて前記据付板に取り付ける複数の取付孔を前記据付板に設けることを特徴とする。
【０００８】
また、請求項３の発明は、前記支持部材は、空気調和装置の跳ね上げ高さを高くする場合はＬ字の短い方の辺の平面部が、跳ね上げ高さを低くする場合はＬ字の折り曲げ部が、それぞれ前記取付孔に嵌まることを特徴とする。
【０００９】
また、請求項４の発明は、前記Ｌ字状の支持部材は、空気調和装置の裏側に配置される冷媒配管を固定する固定部材を兼ねることを特徴とする。
【００１０】
また、請求項５の発明は、前記据付板は、空気調和装置の前記壁面での据付位置や空気調和装置から前記壁面を介して屋外へ延出する冷媒配管の貫通位置を定める機能を有することを特徴とする。
【００１１】
また、請求項６の発明は、前記取付孔は屋外へ延出する冷媒配管の位置を定めるために前記据付板に設けられたノックアウトホール部を成すスリットであることを特徴とする。
【００１２】
また、請求項７の発明は、前記調整機構とは、空気調和装置の裏側に設けられ伸縮自在に構成された支持部材であって、一端が前記据付板に構成された取付孔にはめられ、この支持部材の長さを調整することで、空気調和装置の跳ね上げ高さが変えられることを特徴とする。
【００１３】
また、請求項８の発明は、前記支持部材は、第１支持具と、この第１支持具にスライドして係合される第２支持具とから構成されることを特徴とする。
【発明の効果】
【００１４】
請求項１乃至３の発明によれば、空気調和装置の跳ね上げ高さを変えることで、天井から空気調和装置の据付位置までの距離が短い場合でも、据付板と空気調和装置との間に安全な作業空間を確保できる。
【００１５】
また、請求項４の発明によれば、前記Ｌ字状の支持部材は配管作業時には空気調和装置の跳ね上げ高さを変える調整機構として使用し、空気調和装置に収納時は冷媒配管並びにドレン配管を押える配管押えとして使用できる。
【００１６】
また、請求項５の発明によれば、据付板は、空気調和装置の据付位置や空気調和装置から延出する配管の位置を定めることができる。
【００１７】
また、請求項６の発明によれば、前記取付孔を空気調和装置から前記壁面を介して屋外へ延出する冷媒配管の位置を定めるためにこの据付板に設けるノックアウトホール部のスリットと兼ねることで新たに取付孔を作成する必要がなくなる。
【００１８】
また、請求項７乃至８の発明によれば伸縮自在な支持部材の長さ調節により、天井から空気調和装置の据付位置までの距離に応じて、空気調和装置の跳ね上げ高さが調整できるので、据付板と空気調和装置との間には天井から空気調和装置の据付位置までの距離を有効に利用した安全な作業空間を十分確保できる。
【図面の簡単な説明】
【００１９】
【図１】本発明の実施形態に係る壁掛型空気調和機の室内ユニットの断面図である。
【図２】図１に示した室内ユニットの分解斜視図である。
【図３】図１に示した据付板の詳細図である。
【図４】本発明の第１と第２の実施形態を比較した図である。
【図５】本発明の第１の実施形態を示した図である。
【図６】本発明の第１の実施形態の要部拡大図である。
【図７】本発明の第２の実施形態を示した図である。
【図８】本発明の第２の実施形態の要部拡大図である。
【図９】図５に示した支持具の他の実施形態を示す詳細構成図である。
【図１０】図９のＡ−Ａ断面図である。
【図１１】図５に示した支持具の他の実施形態を示す詳細構成図である。
【図１２】図１１のＫ−Ｋ断面図である。
【発明を実施するための最良の形態】
【００２０】
以下、図面を参照して本発明の実施形態を詳述する。
図１は本発明を適用した実施の形態に係る壁掛け型空気調和装置の室内ユニット１の断面図であり、図２は室内ユニット１の分解斜視図である。
【００２１】
室内ユニット１は、断面略Ｃ字状に形成されたフィンアンドチューブ型の熱交換器２をフレーム３に配設し、この熱交換器２の内側に送風機（クロスフローファン）４を配置して構成され、熱交換器２にはグリル１０を被せられる。フレーム３は樹脂成形により断面略Ｌ字状に形成された部材であり、熱交換器２から流下するドレン水を受けるドレンパン３１、及び、送風機４を収容するスクロール部３２を備え、フレーム３の背面には、据付板５０の係止爪５１を受ける凹部３０が形成されている。このフレーム３及びグリル１０によって室内ユニット１の筐体が構成される。
【００２２】
送風機４はいわゆるクロスフローファンで構成され、フレーム３に設けられた舌部４８とスクロール部３２との間に収められ、送風機４の両端が、ベアリング４３を有する軸受け部４４と、軸受け部４５とを介してフレーム３により支持される。
【００２３】
送風機４の一端にはファンモーター４６が連結され、ファンモーター４６が、軸受け４７を介してフレーム３に取り付けられている。より詳細に説明すると、送風機４の一端には、ファンモーター４６の回転軸が挿入される穴４１が設けられ、この穴４１に挿入されたファンモーター４６の回転軸は、送風機４の側面から螺入されるセットスクリュー４２によって、送風機４に固定される。また、ファンモーター４６の側方には電装ボックス５５が配置される。
【００２４】
フレーム３の背面側の下部や側部には、冷媒配管２２、２３やドレン配管２４を収容するための空間である配管収容部３３が形成され、配管収容部３３に収納された冷媒配管２２、２３の垂直部Ｄを押さえ込む配管押え５３と、配管収容部３３の下部に収納されたこの冷媒配管２２、２３の水平部Ｅやドレン配管２４を押え込む配管押え５２が取り付けられる。ここで、この配管押さえ５２は室内ユニット１の据付作業時には、室内ユニット１の跳ね上げの支持部材２として扱う。
【００２５】
グリル１０には上面吸込口１１及び前面吸込口１２が開口し、前面吸込口１２を覆うように前面パネル１６が取り付けられ、室内の空気は実線矢印Ａのようにこのグリル１０から室内ユニット１内へ流入する。
【００２６】
送風機４は、上面吸込口１１及び前面吸込口１２から熱交換器２を介して室内空気を吸い込み、熱交換器２において熱交換された空気を、スクロール部３２と舌部４８との間の空間を通じて、室内ユニット１の下面に開口する吹出口１３から実線矢印Ｂのように被調和室内に吹き出す。
【００２７】
吹出口１３には風向変更用の横羽根としての２枚のフラップ６０が設けられる。フラップ６０はフラップ軸６１を有し、このフラップ軸６１を中心として上下に回動する。２枚のフラップ６０は、フラップ駆動モーター６３によって連動して駆動され、吹出口１３を開閉するとともに、吹出口１３からの風向を上下方向において設定する。
【００２８】
また、スクロール部３２の出口側には、風向変更用の複数の縦羽根８５が並べて配置されている。縦羽根８５は、複数枚（本実施形態では５枚）が一組となって、スクロール部３２の裏側でリンク部材８７により連結される。縦羽根８５は、縦羽根駆動モーター（図示せず）に連結され、この縦羽根駆動モーターの動作または操作レバー８６の操作に応じて、左右に向きを変える。
【００２９】
そして、縦羽根８５とフラップ６０との間に、ファンガード７０が設けられている。ファンガード７０は、吹出口１３の長手方向に沿って、互いに平行に掛け渡された２本のワイヤー７１と、これらワイヤー７１の端を束ねる支持体７２、７３とを備えて構成される。ファンガード７０は、ワイヤー７１によって、吹出口１３の奥へ手を差し入れることができないようにする。
【００３０】
図３は、本発明で室内ユニットの据付板５０の詳細図である。
【００３１】
据付板５０の上部には、室内ユニット１を壁面５に据え付ける際に、この室内ユニット１のフレーム３の背面上部に形成された凹部３０を引掛けるための係止爪５１が設けられている。配管作業時はこの係止爪５１部分を支点に、室内ユニット１を回動させて跳ね上げる。
【００３２】
据付板５０の下部には、配管作業時に作業空間を確保するための支持部材５２を係合させる取付孔５０１、５０２が形成されている。２つの取付孔５０１、５０２を設けることで図４に示すように支持部材５２と据付板５０のなす角度θ１、θ２が変化させられ、室内ユニット1の跳ね上げ高さが調節可能である。（後述する）。
【００３３】
また、この据付板５０には、室内ユニット１から延出する冷媒配管２２，２３並びにドレン配管２４の取出し位置を据付板５０の中央に定めるためのノックアウトホール部６００が設けられており、その周囲にはスリット５６により形成されている。すなわち、据付板５０の中央から冷媒配管２２，２３ドレン配管２４を室外に導出する場合は、このスリット５６に裁断具（図示せず）を入れてスリット５６間を切断してノックアウトホール部６００を据付板５０から切り離し、この切り離した部分を上述の配管取り出し位置とする。
【００３４】
ここで、取付孔５０１は、支持部材５２の係合のために新たに設けたものではなく、ノックアウトホール部のスリット５６の一部である。
【００３５】
尚、この据付板５０には縦、横方向に多数の孔５５０が整列状態で設けられているが、これは据付板５０を室内壁面５へ当てがった際、室内壁の内部に位置する間柱との位置と一致した任意の孔にねじを挿入して固定することにより、この据付板５０を室内壁面５へ固定できるようにするためである。
【００３６】
図４は、本発明に係る据付板５０の調整機構を用いて室内ユニット１を跳ね上げた図であり、図４（ａ）は第１の実施形態、図４（ｂ）は第２の実施形態を示している。図５は、第１の実施形態における室内ユニット１の一部破断させた図であり、図６はその要部拡大図である。図７は、第２の実施形態における室内ユニット１の一部破断させた図であり、図８はその要部拡大図である。
【００３７】
室内ユニット１を室内壁面５に据付ける場合、壁面５に据付板５０を取り付け、この据付板５０の固定によって室内ユニット１の据付位置を決めている。
【００３８】
据付板５０を取り付けた後は、室内ユニット１の上部（フレーム３の凹部３０）を据付板５０の係止爪５１に引掛けて支点とし、室内ユニット１の上部を跳ね上げる。それと同時にこの室内ユニット１の裏面の支持具５２を、支点Ｆを中心にして回動させて起こして、その前部（後述する）を据付板５０に設けられた取付孔５０１または５０２と室内ユニット1の支持部材５２を係合させて室内ユニット1の上部を跳ね上げる。そして、この室内ユニット１の下部に作業空間ＳＡ、ＳＢを確保し、図示しない室外ユニットからの冷媒配管とこの室内ユニット１の冷媒配管２２、２３とをつなぐ。さらに、ドレン配管２４に延長配管（図示せず）をつなぐ配管作業を行う。
【００３９】
この支持部材５２は、その前部が下向きに折れ曲がったＬ字形状であり、前部の平面部５２２と折り曲げ部５２３の間には凸部５２１が形成され、この凸部５２１が取付孔５０１、５０２と係合することにより支持部材５２を安定させる効果がある。
【００４０】
室内ユニット１の据付位置が室内の天井６まで十分に距離がある場合（図４（ａ）、図５、図６）、室内ユニット1の支持部材５２を、支点Ｆを中心に回動させてこの支持具５２を略水平状態とする。支持具５２と据付板５０とのなす角度θ１を約９０度とし、この支持部材５２の前部の平面部５２２を取付孔５０１に係合させる。この時、支持部材５２の凸部５２１が取付孔５０１に引掛かることで据付板５０に対する支持部材５２の係合が安定し、室内ユニット1の跳ね上げ高さはＬ１となり、十分な作業空間ＳＡが確保される。この作業空間ＳＡに冷媒配管２２、２３やドレン配管２４を収納し、前述の配管作業を行う。
【００４１】
その後、これら冷媒配管２２、２３やドレン配管２４に対して、支持部材５２を取付孔５０１から外して下向きに回動させ、支持部材５２のＬ字形状によってこれら配管は室内ユニット１の下部に収納され、室内ユニット１は室内壁面５に対して垂直状態となり据付作業が完了する。すなわち、据付作業完了時にはＬ字形状の支持部材５２が冷媒配管２２、２３やドレン配管２４の位置決めをする配管押さえを兼ねている。
【００４２】
また、室内ユニット１の据付位置が室内の天井６に近い場合（図４（ｂ）、図７、図８）、つまり、室内ユニット１の据付位置と天井６との距離がＬ１よりも小さい場合は、上述したように支持部材５２を回動させて据付板５０とのなす角度θ２を約９０度以下とし、この支持部材５２の前部の折り曲げ部５２３を取付孔５０２に係合させる。
【００４３】
この時、支持部材５２の凸部５２１が取付孔５０２に引掛かることで据付板５０に対する支持部材５２の係合が安定し、室内ユニット１の跳ね上げ高さはＬ１よりも小さいＬ２となり、安全な作業空間ＳＢを確保することができる。その後の配管作業は、上述した通りである。
【００４４】
このように、室内ユニット１の上部の跳ね上げ高さを調節する調節機構は支持部材５２と据付板５０に設けた取付孔５０１、５０２から構成される。
以上の実施形態では、天井６と室内ユニット１との間隔に応じて、上記調整機構を用いて室内ユニット１の上部の跳ね上げ高さを調整でき、据付板５０と室内ユニット１との間に安全な作業空間ＳＡ、ＳＢを確保できる。
【００４５】
従って、従来のように室内ユニット１の据付位置が室内の天井６に近い場合に、支持部材５２を挟むと室内ユニット１が天井６に接触し、跳ね上げた状態で室内ユニット１を固定できないという問題は解消される。
【００４６】
図９は、図５に示した支持部材５２の他の第１実施形態を示したものであり、図１０は図９のＡ−Ａ断面図を示したものである。  これらの図において、支持部材５２は、室内ユニット１（図１参照）に回動自在に設けられ、略コの字形状の第１支持具５３１とその前部が下向きに折れ曲がり、支持部材５２に係止されるＬ字形状の第２支持具５３２から構成される。
【００４７】
支持具５３１、５３２にはそれぞれ長手方向にスリット５３３、５３４が設けられており、これら２つの支持具５３１、５３２を重ねあわせると、２つのスリット５３３、５３４は重なる構造となっている。ここで、スリット５３３の幅Ｇは、スリット５３４の幅Ｆよりも小さく設定されている。
【００４８】
ビス５３５は、重なった状態のスリット５３３、５３４に対して下から（図５においてスペースＳＡ側から）挿入される。ビス５３５の螺合部５３９の幅寸法Ｈ（図１０参照）はスリット５３３の幅Ｇ（図９参照）と略一致している。
【００４９】
従って、ビス５３５を支持部材５２に対して下から挿入するとスリット５３２は隙間を保ったままスリット５３３でビス５３５の螺合部５３９は係合される。
【００５０】
すなわち、ビス５３５を支持部材５３に取り付けると、支持部材５２は室内ユニット１から延びる第１支持具５３１に対して第２支持具５３２が矢印ＣＤで示す方向に伸縮する。そして、ビス５３５を確実にスリット５３３に締め付けると、このビス５３５により第１支持具５３１と第２支持具５３２は固定される。
【００５１】
また、図５並びに図７を参照して支持部材５２は作業用空間ＳＡもしくはＳＢに対して水平になる（図５）方が空間を広く確保できるので、配管作業を行いやすい。従って、上記実施形態では、支持部材５２の据付板５０への係合は取付孔５０１を使用して、支持部材５２は水平状態を保つようにするとよい。
【００５２】
さらに、支持部材５２の長さが一定の場合には、室内ユニット１の跳ね上げ高さ寸法は図５のように取付孔５０１、５０２でのみ調節可能であったが、上記実施形態では、支持部材５２は段階的にではなく、自由に長さ調節ができるので、室内ユニット１の跳ね上げ高さも自由に調節ができる。従って、室内ユニット１と天井６との空間を有効に利用し、作業空間ＳＡを確保できる。
【００５３】
すなわち、図４で示すように室内ユニット１の跳ね上げ高さ寸法Ｌ１は、可能なまで室内ユニット１を傾斜させるように支持部材５２の長さ調節行えるので、作業空間ＳＡ（図５参照）も最大限確保でき、配管作業が行いやすくなる。
【００５４】
図１１は、図５に示した支持部材５２の他の第２実施形態を示したものであり、図１２は図１１のＫ−Ｋ断面図を示したものである。
【００５５】
これらの図において、上述の他の第１実施形態と同様に支持具５２は、コの字形状の支持具５３１とその前部が下向きに折れ曲がったＬ字形状の支持具５３２から構成される。
【００５６】
第１支持具５４１は合成樹脂等の弾性部材で成型されており、Ｕ字状のスリット５４０によって上下方向に変形する舌片５４３が形成されている。この舌片５４３の下面にはつまみ５３８が、その上面には凸部５３７が形成されている。一方、第２支持具５４２はその内面に凹部５３６が溝方向に多数設けられている。そして、この第１支持具５４１並びに第２支持具５４２はその断面が略コの字状に形成される。しかも、第２支持具５４２の両端は更に内側に折り曲げ片５４４が形成されている。
【００５７】
従って、第１支持具５４１に第２支持具５４２を挿入するとこの第２支持具５４２は第１支持具５４１に対して矢印ＣＤの方向にスライドする。その時、スライド中は舌片５４３は下方に湾曲しているが、凸部５３７が凹部５３６に嵌合するとその両部材は係合状態となる。この係合状態において、さらに第２支持具５４２を矢印ＣＤの方向にスライドさせると、凹凸部５３７、５３６の嵌合状態は外れて、次の凹凸部まで移動して係合する。この構造により、支持部材５４は凹部５３６の数だけ矢印Ｃ，Ｄの方向に段階的に伸縮可能となる。
【００５８】
この第２実施形態においても、室内ユニット１の跳ね上げ高さＬ１は、可能なまで室内ユニット１を傾斜させるように支持部材５４の長さ調節行えるので、作業空間ＳＡ（図５参照）も最大限確保でき、配管作業が行いやすくなる。
【００５９】
従って、上記２つの他の実施形態によると、従来のように室内ユニット１の据付位置が室内の天井６に近い場合にも、支持部材５２、５４の長さを調節することで室内ユニット１が天井６に接触し、跳ね上げた状態で室内ユニット１を固定できないという問題は解消される。
【符号の説明】
【００６０】
１…室内ユニット
５…壁面
５０…据付板
５２、５４…支持部材（調整機構）
５６…ノックアウトホール部のスリット
５０１…取付孔（調整機構）
５０２…取付孔（調整機構）
５２２…平面部
５２３…折り曲げ部
５３１、５４１…第１支持具
５３２、５４２…第２支持具
Ｌ１…跳ね上げ高さ
Ｌ２…跳ね上げ高さ
【図２】
2011089678.tif 000003
【図９】
2011089678.tif 000004
【図１０】
2011089678.tif 000005
【図１１】
2011089678.tif 000006
【図１２】
2011089678.tif 000007
【図１】
2011089678.tif 000008
【図３】
2011089678.tif 000009
【図４】
2011089678.tif 000010
【図５】
2011089678.tif 000011
【図６】
2011089678.tif 000012
【図７】
2011089678.tif 000013
【図８】
2011089678.tif 000014